(57)【要約】【課題】ディスプレイ装置及びディスプレイ装置の駆動方法に関し、例えば有機ＥＬ素子によるディスプレイ装置に適用して、ソースフォロワ回路構成により発光素子を電流駆動するトランジスタに各種の補正回路を設けるようにしても、走査線の数の増大を防止することができるようにする。【解決手段】  本発明は、信号レベル保持用のコンデンサＣ２の端子間電圧によるゲートソース電圧によりソースフォロワ回路構成によるトランジスタＴＲ２で発光素子１２を駆動する構成において、この信号レベル保持用のコンデンサＣ２の両端をそれぞれ基準電圧に接続するスイッチ回路ＴＲ３を、各ラインの異なる色の画素で共通に制御する。【選択図】        図１
2005172917.tif 000002
【特許請求の範囲】
【請求項１】
電流駆動による画素をマトリックス状に配置してなる画素部と、前記画素部を駆動する駆動回路とを有するディスプレイ装置において、
前記画素部は、
異なる色による前記画素が順次循環的に繰り返されて配置され、
前記画素は、
発光素子と、
ゲートソース間に信号レベル保持用のコンデンサを保持し、前記信号レベル保持用のコンデンサの端子間電圧によるゲートソース間電圧により前記発光素子を駆動するソースフォロワ回路によるトランジスタと、
前記トランジスタを電源に接続する電源用のスイッチ回路と、
前記トランジスタのゲートを信号線に接続する信号線用のスイッチ回路と、
前記トランジスタのソースをソース側の基準電圧に接続するソース側のスイッチ回路とを有し、
前記駆動回路は、
前記画素部にライン毎に設けられた走査線を介して前記各スイッチ回路の動作を制御し、
前記電源用のスイッチ回路のオンオフ制御により前記発光素子の発光、非発光を制御し、
前記発光素子を非発光とした状態で、前記ソース側のスイッチ回路の駆動により、前記信号レベル保持用のコンデンサの一端を前記ソース側の基準電圧に設定すると共に、前記信号線のスイッチ回路の駆動により、前記信号線の信号レベルにより前記信号レベル保持用のコンデンサの他端を設定することにより、前記信号線の信号レベルにより前記信号レベル保持用のコンデンサの端子間電圧を設定し、
各ラインにおいて、前記電源用のスイッチ回路の制御を各色毎に設けられた走査線により実行し、
前記各ラインにおいて、少なくとも前記ソース側のスイッチ回路の制御を前記各色の画素で共通に設けられた走査線により実行する
ことを特徴とするディスプレイ装置。
【請求項２】
前記トランジスタ、前記各スイッチ回路がｎチャンネルＭＯＳ型のトランジスタにより形成された
ことを特徴とする請求項１に記載のディスプレイ装置。
【請求項３】
前記画素は、
前記信号線用のスイッチ回路と前記トランジスタのゲートとの間に配置されて、前記信号線用のスイッチ回路による前記トランジスタのゲートへの前記信号線の接続を仲介するカップリング用のコンデンサと、
前記トランジスタのゲートドレインを短絡させる短絡用のスイッチ回路と、
前記カップリング用のコンデンサの前記信号線側端をコンデンサ側の基準電圧に接続するコンデンサ側のスイッチ回路とを備え、
前記駆動回路は、
前記コンデンサ側のスイッチ回路、前記短絡用のスイッチ回路をオン状態に設定すると共に、前記電源用のスイッチ回路をオフ状態に設定することにより、前記信号レベル保持用のコンデンサの端子間電圧を前記トランジスタのしきい値電圧に設定した後、
前記信号線の信号レベルにより前記信号レベル保持用のコンデンサの端子間電圧を設定する
ことを特徴とする請求項１に記載のディスプレイ装置。
【請求項４】
前記駆動回路は、
各ラインにおいて、前記コンデンサ側のスイッチ回路、前記短絡用のスイッチ回路を、前記各色で共通に設けられた走査線により制御する
ことを特徴とする請求項３に記載のディスプレイ装置。
【請求項５】
電流駆動による画素をマトリックス状に配置してなるディスプレイ装置において、
異なる色による前記画素が順次循環的に繰り返されて配置され、
前記画素は、
発光素子と、
ゲートソース間に信号レベル保持用のコンデンサを保持し、前記信号レベル保持用のコンデンサの端子間電圧によるゲートソース間電圧により前記発光素子を駆動するソースフォロワ回路によるトランジスタと、
一定周期により、前記トランジスタを電源に接続する電源用のスイッチ回路と、
前記電源用のスイッチ回路により前記トランジスタを前記電源に接続していない間の一定の期間、前記トランジスタのゲートを信号線に接続し、前記信号レベル保持用のコンデンサの端子電圧を前記信号線の信号レベルにより設定する信号線用のスイッチ回路と、
少なくとも前記信号線用のスイッチ回路により前記トランジスタのゲートを前記信号線に接続している期間の間、前記トランジスタのソースをソース側の基準電圧に接続するソース側のスイッチ回路とを備え、
前記画素部は、
各ラインにおいて、前記電源用のスイッチ回路が各色毎に設けられた走査線により各色毎に制御され、
前記各ラインにおいて、少なくとも前記ソース側のスイッチ回路が、前記各色で共通に設けられた走査線により前記各色の画素で共通に制御される
ことを特徴とするディスプレイ装置。
【請求項６】
前記画素は、
前記信号線用のスイッチ回路と前記トランジスタのゲートとの間に配置されて、前記信号線用のスイッチ回路による前記トランジスタのゲートへの前記信号線の接続を仲介するカップリング用のコンデンサと、
前記信号線用のスイッチ回路により前記トランジスタのゲートを前記信号線に接続する前の所定期間の間、前記トランジスタのゲートドレインを短絡させる短絡用のスイッチ回路と、
前記短絡用のスイッチ回路により前記トランジスタのゲートドレインを短絡させている期間の間、前記カップリング用のコンデンサの前記信号線側端をコンデンサ側の基準電圧に接続するコンデンサ側のスイッチ回路とを備え、
前記画素部は、
各ラインにおいて、前記コンデンサ側のスイッチ回路、前記短絡用のスイッチ回路が、前記各色で共通に設けられた走査線により前記各色の画素で共通に制御される
ことを特徴とする請求項５に記載のディスプレイ装置。
【請求項７】
有機ＥＬ素子による画素をマトリックス状に配置してなるディスプレイ装置において、
異なる色による前記画素が順次循環的に繰り返されて配置され、
前記画素は、
前記有機ＥＬ素子と、
ゲートソース間に信号レベル保持用のコンデンサを保持し、前記信号レベル保持用のコンデンサの端子間電圧によるゲートソース間電圧により前記有機ＥＬ素子を駆動するソースフォロワ回路によるトランジスタと、
一定周期により、前記トランジスタを電源に接続する電源用のスイッチ回路と、
前記電源用のスイッチ回路により前記トランジスタを前記電源に接続していない間の一定の期間、前記トランジスタのゲートを信号線に接続し、前記信号レベル保持用のコンデンサの端子電圧を前記信号線の信号レベルにより設定する信号線用のスイッチ回路と、
少なくとも前記信号線用のスイッチ回路により前記トランジスタのゲートを前記信号線に接続している期間の間、前記トランジスタのソースをソース側の基準電圧に接続するソース側のスイッチ回路とを備え、
前記画素部は、
各ラインにおいて、前記電源用のスイッチ回路が、各色毎に設けられた走査線により各色毎に制御され、
前記各ラインにおいて、少なくとも前記ソース側のスイッチ回路が、前記各色の画素で共通に設けられた走査線により前記各色の画素で共通に制御される
ことを特徴とするディスプレイ装置。
【請求項８】
電流駆動による画素をマトリックス状に配置してなる画素部を有するディスプレイ装置の駆動方法において、
前記画素部は、
異なる色による前記画素が順次循環的に繰り返されて配置され、
前記画素は、
発光素子と、
ゲートソース間に信号レベル保持用のコンデンサを保持し、前記信号レベル保持用のコンデンサの端子間電圧によるゲートソース間電圧により前記発光素子を駆動するソースフォロワ回路によるトランジスタと、
前記トランジスタを電源に接続する電源用のスイッチ回路と、
前記トランジスタのゲートを信号線に接続する信号線用のスイッチ回路と、
前記トランジスタのソースをソース側の基準電圧に接続するソース側のスイッチ回路とを有し、
前記ディスプレイ装置の駆動方法は、
前記画素部にライン毎に設けられた走査線を介して前記各スイッチ回路の動作を制御し、
前記電源用のスイッチ回路のオンオフ制御により前記発光素子の発光、非発光を制御し、
前記発光素子を非発光とした状態で、前記ソース側のスイッチ回路の駆動により、前記信号レベル保持用のコンデンサの一端を前記ソース側の基準電圧に設定すると共に、前記信号線のスイッチ回路の駆動により、前記信号線の信号レベルにより前記信号レベル保持用のコンデンサの他端を設定することにより、前記信号線の信号レベルにより前記信号レベル保持用のコンデンサの端子間電圧を設定し、
各ラインにおいて、前記電源用のスイッチ回路の制御を各色毎に設けられた走査線により実行し、
前記各ラインにおいて、少なくとも前記ソース側のスイッチ回路の制御を前記各色の画素で共通に設けられた走査線により実行する
ことを特徴とするディスプレイ装置の駆動方法。
【発明の詳細な説明】
【技術分野】
【０００１】
本発明は、ディスプレイ装置及びディスプレイ装置の駆動方法に関し、例えば有機ＥＬ（Electro Luminescence）素子によるディスプレイ装置に適用することができる。本発明は、信号レベル保持用のコンデンサの端子間電圧によるゲートソース電圧によりソースフォロワ回路構成によるトランジスタで発光素子を駆動する構成において、この信号レベル保持用のコンデンサの一端を基準電圧に接続するスイッチ回路を、各ラインの異なる色の画素で共通に制御することにより、ソースフォロワ回路構成により発光素子を電流駆動するトランジスタに各種の補正回路を設けるようにしても、走査線の数の増大を防止することができるようにする。
【背景技術】
【０００２】
従来、有機ＥＬの表示装置においては、例えばＵＳＰ５，６８４，３６５、特開平８−２３４６８３号公報等にディスプレイ装置への応用が種々に提案されるようになされている。
【０００３】
すなわち図１０に示すように、この種のディスプレイ装置１において、画素部２は、マトリックス状に配置されてなる画素（ＰＸ）３に対して、走査線ＳＣＮがライン単位で水平方向に設けられ、またこの走査線ＳＣＮと直交するように信号線ＳＩＧが各列毎に垂直方向に設けられる。このようにして形成されてなる画素部２に対して、ディスプレイ装置１は、垂直駆動回路４により走査線ＳＣＮを駆動して順次ライン単位で画素部２の画素３を駆動すると共に、この画素３の駆動に対応するように水平駆動回路５により信号線ＳＩＧを駆動して各画素３の階調を設定するようになされている。
【０００４】
このため垂直駆動回路４は、ライトスキャン回路（ＷＳＣＮ）４Ａにより、各画素３への書き込みをライン単位で順次指示する書き込み信号ｗｓを生成し、この書き込み信号ｗｓを走査線ＳＣＮに出力して各画素３における階調の設定を制御するようになされている。また水平駆動回路５は、各画素３の階調を指示する階調データＤ１に応じて駆動信号を生成し、この駆動信号を水平セレクタ（ＨＳＥＬ）５Ａにより各信号線ＳＩＧに振り分けて出力し、これらによりディスプレイ装置１は、ライン単位で各画素３の階調を設定するようになされている。
【０００５】
有機ＥＬのディスプレイ装置においては、このようにして駆動される各画素３が、電流駆動による自発光型の素子である有機ＥＬ素子と、この有機ＥＬ素子を駆動する各画素の駆動回路（以下、画素回路と呼ぶ）とにより形成されるようになされている。
【０００６】
しかしてこのようにして形成されるディスプレイ装置においては、ｎチャンネルＭＯＳ型のＴＦＴ（Thin Film Transistor）により各画素回路を形成することにより、また有機ＥＬ素子のアノードをトランジスタに接続してこのトランジスタにより電流駆動することにより、アモルファスシリコンのプロセスを適用して有機ＥＬ素子と画素回路とをガラス基板上に一体に形成することができ、これにより図１１に示すように、ソースフォロワ回路構成により有機ＥＬ素子１２を駆動することが考えられる。
【０００７】
すなわちこの図１１に示すディスプレイ装置１１は、各画素３において、有機ＥＬ素子１２のアノードにソースを接続してなるソースフォロワ回路構成のトランジスタＴＲ２により有機ＥＬ素子１２を電流駆動するように形成され、このトランジスタＴＲ２のゲートに信号レベル保持用のコンデンサＣ１が設けられる。ここでこの信号レベル保持用のコンデンサＣ１は一端がトランジスタＴＲ２のゲートに接続され、他端が基準電圧に接続され、この図１１の例では、この基準電圧Ｖｃｃに設定される。ディスプレイ装置１１は、垂直駆動回路４に設けたライトスキャン回路４Ａから書き込み信号ｗｓを出力するようにして、この書き込み信号ｗｓによりオン動作するトランジスタＴＲ１によるスイッチ回路により、この信号レベル保持用のコンデンサＣ１が信号線ＳＩＧに接続され、これにより書き込み信号ｗｓに応動して信号線ＳＩＧに出力される駆動信号の信号レベルによりトランジスタＴＲ２のゲート電圧Ｖｇが設定される。これによりこのディスプレイ装置１１は、このように設定されたゲート電圧Ｖｇに応じた電流により有機ＥＬ素子１２を駆動し、階調データＤ１に応じた階調により各画素３の有機ＥＬ素子１２を発光させて所望の画像を表示できるようになされている。
【０００８】
しかしながら有機ＥＬ素子においては、図１２に示すように、使用により電流が流れ難くなる方向に電圧電流特性が変化する。なおこの図１２及び図１３において、符号Ｌ１が初期の特性を示し、符号Ｌ２が経時変化による特性を示すものである。これに対して図１１について上述したソーフフォロワ回路による駆動においては、図１３に示すように、トランジスタＴＲ２のドレインソース間電圧Ｖｄｓ−ドレインソース電流Ｉｄｓの特性曲線に対して、負荷による特性曲線が交差してなる交点が動作点となる。これにより有機ＥＬ素子において、電圧電流特性が変化すると、その分、有機ＥＬ素子に流れる電流が減少し、これらにより各画素の輝度が徐々に低下する問題がある。
【０００９】
この問題を解決する１つの方法として、このようなゲート電圧Ｖｇによる階調の設定に代えてゲートソース間電圧Ｖｇｓによる階調の設定により有機ＥＬ素子１２の駆動電流を制御する方法が考えられる。すなわちＴＦＴのドレイン電流Ｉｄｓにおいては、（１／２）×μ×（Ｗ／Ｌ）Ｃｏｘ（Ｖｇｓ−Ｖｔｈ）２ ……（１）により表され、これによりゲートソース間電圧Ｖｇｓによる階調の設定により経時変化による駆動電流の変化を防止することができる。ここでμはキャリアの移動度、Ｗはゲート幅、Ｌはゲート長、Ｃｏｘは単位面積当たりのゲート容量、Ｖｔｈはしきい値電圧である。
【００１０】
これにより図１１との対比により図１４に示すように、各画素２３において、トランジスタＴＲ２のゲートに対する信号レベル保持用のコンデンサＣ１の配置に代えて、このトランジスタＴＲ２のゲートソース間に信号レベル保持用のコンデンサＣ２を配置し、この信号レベル保持用のコンデンサＣ２に信号線ＳＩＧの信号レベルを設定する。またドライブスキャン信号ｄｓ１によりオン動作するトランジスタＴＲ３をトランジスタＴＲ２のソースに接続し、信号レベル保持用のコンデンサＣ２に信号線ＳＩＧの信号レベルを設定する期間の間、このトランジスタＴＲ３によりトランジスタＴＲ２のソース電位を一定電位に設定する。なお図１４においては、この一定電位がアース電位の場合である。
【００１１】
またトランジスタＴＲ４によるスイッチ回路によりトランジスタＴＲ２のドレインを電源電圧Ｖｃｃに接続し、トランジスタＴＲ３によりトランジスタＴＲ２のソース電位を一定電位に設定している期間の間、このトランジスタＴＲ４の制御によりトランジスタＴＲ２の電源Ｖｃｃへの接続を中止し、これによりこのトランジスタＴＲ４により有機ＥＬ素子１２の発光、非発光を制御すると共に、非発光の期間で電源ＶｃｃからトランジスタＴＲ２、トランジスタＴＲ３を介してアースに流れる貫通電流を防止する。
【００１２】
またこのような画素２３による画素部２２の構成に対応して、垂直駆動回路２４においては、ライトスキャン回路２４Ａに加えて、このライトスキャン回路２４Ａによる書き込み信号ｗｓの出力に同期してドライブスキャン信号ｄｓ１、ｄｓ２をそれぞれ出力するドライブスキャン回路（ＤＳＣＮ）２４Ｂ、ドライブスキャン回路（ＤＳＣＮ２）２４Ｃを設け、また水平駆動回路２５においては、各画素の階調を指示する階調データＤ１に応じて駆動信号を生成し、水平セレクタ２５Ａより出力する。またこの垂直駆動回路２４において、ドライブスキャン信号ｄｓ１及びｄｓ２を相補的に信号レベルが変化するように設定して、ドライブスキャン信号ｄｓ２又はｄｓ１の反転出力回路によりドライブスキャン回路２４Ｂ又は２４Ｃを生成し、その分、構成を簡略化する。
【００１３】
これらにより図１５（Ａ）〜（Ｅ）及び図１６（Ａ）〜（Ｅ）に示すように、ディスプレイ装置２１では、信号レベル保持用のコンデンサＣ２の端子間電圧によるゲートソース間電圧Ｖｇｓによりトランジスタ２で有機ＥＬ素子１２を駆動して、ドライブスキャン信号ｄｓ２によるトランジスタＴＲ４のオンオフ動作により有機ＥＬ素子１２の発光、非発光を制御する。またこの非発光期間の間で、トランジスタＴＲ３により信号レベル保持用のコンデンサＣ２のソース側端をアース電位に設定した状態で、トランジスタＴＲ１により信号レベル保持用のコンデンサＣ２のゲート側端を信号線ＳＩＧに接続し、これにより信号線ＳＩＧの信号レベルＶｉｎを設定する。なお図１６（Ａ）〜（Ｅ）は、図１５の各期間ＴＡ〜ＴＥにそれぞれ対応するトランジスタＴＲ２、ＴＲ３の設定を示す接続図である。
【００１４】
このようにしてゲート電圧Ｖｇによる階調の設定に代えてゲートソース間電圧Ｖｇｓによる階調の設定により有機ＥＬ素子１２の駆動電流を制御すれば、有機ＥＬ素子１２の特性が変化した場合であっても、階調データにより決まる一定電流により有機ＥＬ素子１２の駆動し得、これにより経時変化による画質の劣化等を有効に回避することができる。
【００１５】
しかしながらカラーによるディスプレイ装置においては、一般に、赤色、緑色、青色の画素毎に、発光、非発光の期間を制御してカラーバランスを設定することにより、このようにドライブスキャン信号ｄｓ２により発光、非発光を制御し、またこのドライブスキャン信号ｄｓ２に対して相補的に信号レベルが変化するドライブスキャン信号ｄｓ１を供給する場合にあっては、図１７（Ａ）〜（Ｇ）に示すように、赤色、緑色、青色の画素毎に、これら１組のドライブスキャン信号ｄｓ１、ｄｓ２を伝送することが必要になる。なお以下においては、符号Ｒ、Ｇ、Ｂの添え字によりそれぞれ赤色、緑色、青色の画素に係る制御信号であることを示す。
【００１６】
これにより図１８に示すように、例えば書き込み信号ｗｓを赤色、緑色、青色の画素（ＰＸＲ）、（ＰＸＧ）、（ＰＸＢ）２３を共用するようにしても、ディスプレイ装置２１では、さらにドライブスキャン信号ｄｓ１、ｄｓ２をそれぞれ赤色、緑色、青色の画素（ＰＸＲ）、（ＰＸＧ）、（ＰＸＢ）２３に供給する６本の走査線ＳＣＮ１Ｒ、ＳＣＮ１Ｇ、ＳＣＮ１Ｂ、ＳＣＮ２Ｒ、ＳＣＮ２Ｇ、ＳＣＮ２Ｂが必要になる。
【００１７】
これにより図１８に示す構成においては、画素部２２において、走査線の数が増大し、これにより画素部２２のレイアウトが困難になり、高解像度化することが困難になる問題があった。特にアルモファスシリコンによりこれらのトランジスタを作成する場合にあっては、移動度が小さいことにより、一段と高解像度化が困難になる。
【００１８】
またこのようにして有機ＥＬ素子１２の経時変化による画質劣化を防止するようにしても、上述した（１）式により判るように、トランジスタＴＲ２のしきい値電圧Ｖｔｈがばらついた場合には、その分、各画素２３における駆動電流がばらつくようになり、これにより画質が劣化する。このようなトランジスタＴＲ２のしきい値電圧Ｖｔｈのばらつきによる画質劣化を防止する方法として、信号レベル保持用のコンデンサＣ２に信号線ＳＩＧの信号レベルを設定する際に、事前に、トランジスタＴＲ２のしきい値電圧Ｖｔｈをこの信号レベル保持用のコンデンサＣ２にセットする方法が考えられる。
【００１９】
すなわちこの場合図１１との対比により図１９に示すように、トランジスタＴＲ２のゲートソース間に設ける信号レベル保持用のコンデンサＣｓ２に対して、コンデンサＣｓ１を介してトランジスタＴＲ１により信号線ＳＩＧの信号レベルを設定するようにして、トランジスタＴＲ２のゲートドレイン間を短絡させてトランジスタＴＲ２をダイオード接続に切り換えるトランジスタＴＲ５によるスイッチ回路、コンデンサＣｓ１のトランジスタＴＲ１側端を基準電位に設定するトランジスタＴＲ６によるスイッチ回路を設ける。これによりこのディスプレイ装置３１では、トランジスタＴＲ１によりコンデンサＣｓ１を介して信号線ＳＩＧの信号レベルＶｉｎにより信号レベル保持用のコンデンサＣｓ２の端子電圧を設定する。この場合、コンデンサＣｓ１を介した信号線ＳＩＧへの接続により信号レベル保持用のコンデンサＣｓ２の端子間電圧は、信号線ＳＩＧの信号レベルＶｉｎをコンデンサＣｓ１、Ｃｓ２により分圧した電圧ΔＶｉｎ＝Ｖｉｎ（Ｃｓ１／（Ｃｓ１＋Ｃｓ２））……（２）だけ上昇することになる。これによりこの関係式を考慮して、水平駆動回路３５により信号線ＳＩＧが駆動される。
【００２０】
これにより図２０及び図２１に示すように、この場合も、画素３３においては、信号レベル保持用のコンデンサＣｓ２に設定された電圧によるゲートソース間電圧ＶｇｓによりトランジスタＴＲ２で有機ＥＬ素子１２を駆動して、有機ＥＬ素子１２の経時変化による画質劣化が防止される。
【００２１】
このように信号線ＳＩＧの信号レベルＶｉｎにより信号レベル保持用のコンデンサＣｓ２の端子電圧を設定する直前で、このディスプレイ装置３１は、制御信号ａｚによりトランジスタＴＲ５をオン状態に設定してトランジスタＴＲ２をダイオード接続すると共に、カップリング用のコンデンサＣｓ１の信号線側端を所定の基準電位に保持し、その後、ドライブスキャン信号ｄｓ１、ｄｓ２の切り換えにより、トランジスタＴＲ２のソースを基準電位に設定すると共に、トランジスタＴＲ２への電源の供給を停止する。
【００２２】
これらによりトランジスタＴＲ２においては、一時的に立ち上がったゲート電圧Ｖｇが徐々に低下し、ゲートソース間電圧Ｖｇｓがしきい値電圧Ｖｔｈになると、ゲート電圧Ｖｇの低下が停止し、これにより信号レベル保持用のコンデンサＣｓ２にトランジスタＴＲ２のしきい値電圧Ｖｔｈが設定される。
【００２３】
これにより制御信号ａｚを切り換えてカップリング用のコンデンサＣｓ１の信号線側端を基準電圧より切り離すと共に、トランジスタＴＲ２のダイオード接続を中止した後、書き込み信号ｗｓを立ち上げ、コンデンサＣｓ１を介して信号線ＳＩＧの信号レベルＶｉｎにより信号レベル保持用のコンデンサＣｓ２の端子電圧を設定する。これにより信号レベル保持用のコンデンサＣｓ２においては、トランジスタＴＲ２のしきい値電圧Ｖｔｈにより補正されて信号線ＳＩＧの信号レベルに対応する電圧が設定され、トランジスタＴＲ２においては、このコンデンサＣｓ２に設定された電圧によるゲートソース間電圧Ｖｇｓにより有機ＥＬ素子１２を電流駆動し、トランジスタＴＲ２のしきい値電圧によるばらつきを防止することができる。
【００２４】
これらの画素３３の構成に対応して、ディスプレイ装置３１においては、垂直駆動回路３４に、書き込み信号ｗｓを出力するライトスキャン回路３４Ａ、ドライブスキャン信号ｄｓ１、ドライブスキャン信号ｄｓ２をそれぞれ出力するドライブスキャン回路２４Ｂ、２４Ｃを設け、さらにしきい値電圧Ｖｔｈの補正に係るトランジスタＴＲ５、ＴＲ６の制御信号ａｚを出力するオートゼロ回路（ＺＥＲＯ）３４Ｄを設けるようにする。また水平駆動回路３５においては、水平セレクタ３５Ａより各信号線ＳＩＧに駆動信号を出力する。
【００２５】
このようにすれば、有機ＥＬ素子１２を駆動するトランジスタＴＲ２のしきい値電圧Ｖｔｈがばらついた場合にあっても、このばらつきによる画質の劣化を防止することができる。なお図２１（Ａ）〜（Ｅ）は、それぞれ図２０における期間ＴＡ〜ＴＥに対応するトランジスタの接続である。しかしながらこの場合にも、図２２及び図２３に示すように、各色の画素毎にドライブスキャン信号を出力して走査線の数が増大することになる。
【特許文献１】ＵＳＰ５，６８４，３６５
【特許文献２】特開平８−２３４６８３号
【発明の開示】
【発明が解決しようとする課題】
【００２６】
本発明は以上の点を考慮してなされたもので、ソースフォロワ回路構成により発光素子を電流駆動するトランジスタに各種の補正回路を設けるようにしても、走査線の数の増大を防止することができるディスプレイ装置、ディスプレイ装置の駆動方法を提案しようとするものである。
【課題を解決するための手段】
【００２７】
かかる課題を解決するため請求項１の発明においては、電流駆動による画素をマトリックス状に配置してなる画素部と、画素部を駆動する駆動回路とを有するディスプレイ装置に適用して、画素部は、異なる色による画素が順次循環的に繰り返されて配置され、画素は、発光素子と、ゲートソース間に信号レベル保持用のコンデンサを保持し、信号レベル保持用のコンデンサの端子間電圧によるゲートソース間電圧により発光素子を駆動するソースフォロワ回路によるトランジスタと、トランジスタを電源に接続する電源用のスイッチ回路と、トランジスタのゲートを信号線に接続する信号線用のスイッチ回路と、トランジスタのソースをソース側の基準電圧に接続するソース側のスイッチ回路とを有し、駆動回路は、画素部にライン毎に設けられた走査線を介して各スイッチ回路の動作を制御し、電源用のスイッチ回路のオンオフ制御により発光素子の発光、非発光を制御し、発光素子を非発光とした状態で、ソース側のスイッチ回路の駆動により、信号レベル保持用のコンデンサの一端をソース側の基準電圧に設定すると共に、信号線のスイッチ回路の駆動により、信号線の信号レベルにより信号レベル保持用のコンデンサの他端を設定することにより、信号線の信号レベルにより信号レベル保持用のコンデンサの端子間電圧を設定し、各ラインにおいて、電源用のスイッチ回路の制御を各色毎に設けられた走査線により実行し、各ラインにおいて、少なくともソース側のスイッチ回路の制御を各色の画素で共通に設けられた走査線により実行する。
【００２８】
また請求項５の発明においては、電流駆動による画素をマトリックス状に配置してなるディスプレイ装置に適用して、異なる色による画素が順次循環的に繰り返されて配置され、画素は、発光素子と、ゲートソース間に信号レベル保持用のコンデンサを保持し、信号レベル保持用のコンデンサの端子間電圧によるゲートソース間電圧により発光素子を駆動するソースフォロワ回路によるトランジスタと、一定周期により、トランジスタを電源に接続する電源用のスイッチ回路と、電源用のスイッチ回路によりトランジスタを電源に接続していない間の一定の期間、トランジスタのゲートを信号線に接続し、信号レベル保持用のコンデンサの端子電圧を信号線の信号レベルにより設定する信号線用のスイッチ回路と、少なくとも信号線用のスイッチ回路によりトランジスタのゲートを信号線に接続している期間の間、トランジスタのソースをソース側の基準電圧に接続するソース側のスイッチ回路とを備え、画素部は、各ラインにおいて、電源用のスイッチ回路が各色毎に設けられた走査線により各色毎に制御され、各ラインにおいて、少なくともソース側のスイッチ回路が、各色で共通に設けられた走査線により各色の画素で共通に制御される。
【００２９】
また請求項７の発明においては、有機ＥＬ素子による画素をマトリックス状に配置してなるディスプレイ装置に適用して、異なる色による画素が順次循環的に繰り返されて配置され、画素は、有機ＥＬ素子と、ゲートソース間に信号レベル保持用のコンデンサを保持し、信号レベル保持用のコンデンサの端子間電圧によるゲートソース間電圧により有機ＥＬ素子を駆動するソースフォロワ回路によるトランジスタと、一定周期により、トランジスタを電源に接続する電源用のスイッチ回路と、電源用のスイッチ回路によりトランジスタを電源に接続していない間の一定の期間、トランジスタのゲートを信号線に接続し、信号レベル保持用のコンデンサの端子電圧を信号線の信号レベルにより設定する信号線用のスイッチ回路と、少なくとも信号線用のスイッチ回路によりトランジスタのゲートを信号線に接続している期間の間、トランジスタのソースをソース側の基準電圧に接続するソース側のスイッチ回路とを備え、画素部は、各ラインにおいて、電源用のスイッチ回路が、各色毎に設けられた走査線により各色毎に制御され、各ラインにおいて、少なくともソース側のスイッチ回路が、各色の画素で共通に設けられた走査線により各色の画素で共通に制御される。
【００３０】
また請求項８の発明においては、電流駆動による画素をマトリックス状に配置してなる画素部を有するディスプレイ装置の駆動方法に適用して、画素部は、異なる色による画素が順次循環的に繰り返されて配置され、画素は、発光素子と、ゲートソース間に信号レベル保持用のコンデンサを保持し、信号レベル保持用のコンデンサの端子間電圧によるゲートソース間電圧により発光素子を駆動するソースフォロワ回路によるトランジスタと、トランジスタを電源に接続する電源用のスイッチ回路と、トランジスタのゲートを信号線に接続する信号線用のスイッチ回路と、トランジスタのソースをソース側の基準電圧に接続するソース側のスイッチ回路とを有し、ディスプレイ装置の駆動方法は、画素部にライン毎に設けられた走査線を介して各スイッチ回路の動作を制御し、電源用のスイッチ回路のオンオフ制御により発光素子の発光、非発光を制御し、発光素子を非発光とした状態で、ソース側のスイッチ回路の駆動により、信号レベル保持用のコンデンサの一端をソース側の基準電圧に設定すると共に、信号線のスイッチ回路の駆動により、信号線の信号レベルにより信号レベル保持用のコンデンサの他端を設定することにより、信号線の信号レベルにより信号レベル保持用のコンデンサの端子間電圧を設定し、各ラインにおいて、電源用のスイッチ回路の制御を各色毎に設けられた走査線により実行し、各ラインにおいて、少なくともソース側のスイッチ回路の制御を各色の画素で共通に設けられた走査線により実行する。
【００３１】
請求項１の構成によれば、電流駆動による画素をマトリックス状に配置してなる画素部と、画素部を駆動する駆動回路とを有するディスプレイ装置に適用して、画素部は、異なる色による画素が順次循環的に繰り返されて配置され、画素は、発光素子と、ゲートソース間に信号レベル保持用のコンデンサを保持し、信号レベル保持用のコンデンサの端子間電圧によるゲートソース間電圧により発光素子を駆動するソースフォロワ回路によるトランジスタと、トランジスタを電源に接続する電源用のスイッチ回路と、トランジスタのゲートを信号線に接続する信号線用のスイッチ回路と、トランジスタのソースをソース側の基準電圧に接続するソース側のスイッチ回路とを有し、駆動回路は、画素部にライン毎に設けられた走査線を介して各スイッチ回路の動作を制御し、電源用のスイッチ回路のオンオフ制御により発光素子の発光、非発光を制御し、発光素子を非発光とした状態で、ソース側のスイッチ回路の駆動により、信号レベル保持用のコンデンサの一端をソース側の基準電圧に設定すると共に、信号線のスイッチ回路の駆動により、信号線の信号レベルにより信号レベル保持用のコンデンサの他端を設定することにより、信号線の信号レベルにより信号レベル保持用のコンデンサの端子間電圧を設定すれば、信号レベル保持用のコンデンサの端子間電圧を走査線の信号レベルにより設定するようにして、この信号レベル保持用のコンデンサの端子間電圧によるゲートソース電圧によりソースフォロワ回路構成によるトランジスタで発光素子を駆動することができる。この構成において、各ラインにおいて、電源用のスイッチ回路の制御を各色毎に設けられた走査線により実行し、各ラインにおいて、少なくともソース側のスイッチ回路の制御を各色の画素で共通に設けられ走査線により実行すれば、発光素子の発光、非発光を各色毎に制御してカラーバランスを設定して、信号レベル保持用のコンデンサの両端をそれぞれ基準電圧、信号線に接続するスイッチ回路を、各ラインの異なる色の画素で共通の制御信号により制御し得、その分、ソースフォロワ回路構成により発光素子を電流駆動するトランジスタに各種の補正回路を設けるようにしても、走査線の数の増大を防止することができる。
【００３２】
これにより請求項５、請求項７の構成によれば、ソースフォロワ回路構成により発光素子を電流駆動するトランジスタに各種の補正回路を設けるようにしても、走査線の数の増大を防止することができるディスプレイ装置を提供することができ、また請求項８の構成によれば、ソースフォロワ回路構成により発光素子を電流駆動するトランジスタに各種の補正回路を設けるようにしても、走査線の数の増大を防止することができるディスプレイ装置の駆動方法を提供することができる。
【発明の効果】
【００３３】
本発明によれば、ソースフォロワ回路構成により発光素子を電流駆動するトランジスタに各種の補正回路を設けるようにしても、走査線の数の増大を防止することができる。
【発明を実施するための最良の形態】
【００３４】
以下、適宜図面を参照しながら本発明の実施例を詳述する。
【実施例１】
【００３５】
図２は、図１８との対比により本発明の実施例１に係るディスプレイ装置を示すブロック図である。このディスプレイ装置４１において、画素部４２は、電流駆動による赤色、緑色、青色の画素（ＰＸＲ、ＰＸＧ、ＰＸＢ）４３が順次循環的に繰り返されてマトリックス状に配置され、これらの画素４３に対して、５本の走査線ＳＣＮ、ＳＣＮ１、ＳＣＮ２Ｒ、ＳＣＮ２Ｇ、ＳＣＮ２Ｂがライン単位で水平方向に設けられる。またこれらの走査線ＳＣＮ、ＳＣＮ１、ＳＣＮ２Ｒ、ＳＣＮ２Ｇ、ＳＣＮ２Ｂと直交するように信号線ＳＩＧが各列毎に垂直方向に設けられる。このようにして形成されてなる画素部４２に対して、ディスプレイ装置４１は、垂直駆動回路４４により走査線ＳＣＮ、ＳＣＮ１、ＳＣＮ２Ｒ、ＳＣＮ２Ｇ、ＳＣＮ２Ｂを駆動して順次ライン単位で画素４３に設けられた画素回路の動作を制御すると共に、この画素回路の制御に対応するように水平駆動回路４５により信号線ＳＩＧを駆動して各画素４３の階調を設定する。
【００３６】
このため垂直駆動回路４４は、各画素４３への書き込みをライン単位で順次指示する書き込み信号ｗｓをライトスキャン回路（ＷＳＣＮ）４４Ａにより生成し、またこの書き込み信号ｗｓに同期して信号レベルが変化するドライブスキャン信号ｄｓ１、ｄｓ２をドライブスキャン回路（ＤＳＣＮ）４４Ｂ、ドライブスキャン回路（ＤＳＣＮ２）４４Ｃにより生成し、これら書き込み信号ｗｓ、ドライブスキャン信号ｄｓ１、ｄｓ２を走査線ＳＣＮ、ＳＣＮ１、ＳＣＮ２Ｒ、ＳＣＮ２Ｇ、ＳＣＮ２Ｂに出力するようになされている。またこのような走査線の制御において、ドライブスキャン信号ｄｓ２については、赤色、緑色、青色の画素４３毎に生成してそれぞれ対応する画素４３の走査線ＳＣＮ２Ｒ、ＳＣＮ２Ｇ、ＳＣＮ２Ｂに出力し、これによりこのディスプレイ装置４１では、赤色、緑色、青色の各画素４３における発光、非発光の制御により、カラーバランスを調整するようになされている。これに対してドライブスキャン信号ｄｓ１、書き込み信号ｗｓについては、それぞれ赤色、緑色、青色の画素４３で共用化し、これによりその分、走査線の数を低減するようになされている。
【００３７】
また水平駆動回路４５においては、各画素４３の階調を指示する階調データＤ１に応じて駆動信号を生成し、この駆動信号を水平セレクタ（ＨＳＥＬ）４５Ａにより各信号線ＳＩＧに振り分けて出力するようになされている。
【００３８】
図１は、図１４との対比によりこのディスプレイ装置４１に係る各画素４３を示す接続図である。ディスプレイ装置４１では、各トランジスタＴＲ１〜ＴＲ４に係る制御のタイミングが異なる点を除いて、図１４について上述したディスプレイ装置２１と同一に構成される。
【００３９】
このディスプレイ装置４１に係る画素４３においては、トランジスタＴＲ１をオン状態に設定して信号線ＳＩＧの信号レベルにより信号レベル保持用のコンデンサＣ２の端子電圧を設定する書き込み信号ｗｓ、トランジスタＴＲ２のソースを基準電圧であるアースに接続するトランジスタＴＲ３のドライブスキャン信号ｄｓ１が赤色、緑色、青色の画素４３で共用化される。なお画素４３を構成するトランジスタＴＲ１〜ＴＲ４は、ｎチャンネルＭＯＳ型のＴＦＴであり、水平駆動回路４５、垂直駆動回路４４と共にガラス基板上に、アモルファスプロセスにより一体に作成されるようになされている。
【００４０】
すなわち図３及び図４に示すように、このディスプレイ装置４１においては、トランジスタＴＲ４によりトランジスタＴＲ２のドレインを電源Ｖｃｃに接続することにより、信号レベル保持用のコンデンサＣ２の端子電圧によるゲートソース間電圧ＶｇｓによりトランジスタＴＲ２で有機ＥＬ素子１２を電流駆動する（図３（Ｄ）及び（Ｅ）、図４（Ａ））。またトランジスタＴＲ３をオフ状態に保持したままの状態で、ドライブスキャン信号ｄｓ２によるトランジスタＴＲ４の制御により、トランジスタＴＲ２の電源Ｖｃｃへの接続が絶たれ（図３（Ｃ−Ｒ）〜（Ｃ−Ｂ））及び図４（Ｂ））、これによりトランジスタＴＲ４の駆動によるトランジスタＴＲ２への電源Ｖｃｃの制御により、有機ＥＬ素子１２の発光、非発光を制御するようになされている。なおこのようにトランジスタＴＲ３をオフ状態に保持したままの状態で、トランジスタＴＲ２への電源Ｖｃｃの供給を停止することにより、有機ＥＬ素子１２は、端子電圧が徐々に降下してしきい値電圧ＶｔｈＥＬとなり、これにより発光を停止することになる。
【００４１】
このディスプレイ装置４１では、このような赤色、緑色、青色の画素４３の発光、非発光の制御に係るドライブスキャン信号ｄｓ２について、赤色、緑色、青色の画素４３で立ち上がりのタイミングが同一に設定されて、信号レベルが立ち上がっている期間が、赤色、緑色、青色の画素４３でそれぞれ所定の期間に設定され、これにより赤色、緑色、青色の各画素４３における発光、非発光の制御により、カラーバランスを設定するようになされている。なおこの図３におけるトランジスタＴＲ２のゲート電圧Ｖｇ及びソース電圧Ｖｓは、ドライブスキャン信号ｄｓ２：Ｒに対応する赤色用画素（ＰＸＲ）４３に設けられたトランジスタＴＲ２の電圧である。
【００４２】
このようにして発光、非発光を制御して、ディスプレイ装置４１では、発光を開始する前の所定のタイミングで、ドライブスキャン信号ｄｓ１が立ち上げられ、これにより赤色、緑色、青色の画素４３において、同時に、トランジスタＴＲ３がオン状態に切り換えられ、トランジスタＴＲ２のソース端が基準電圧であるアース電位に設定される（図３（Ｂ）及び図４（Ｂ））。またこのようにしてトランジスタＴＲ２のソース端を基準電圧に設定した状態で、書き込み信号ｗｓが立ち上げられ、トランジスタＴＲ２のゲートが信号線ＳＩＧの信号レベルＶｉｎに設定され（図３（Ａ）及び図４（Ｃ））、これにより信号レベル保持用のコンデンサＣ２の端子間電圧が信号線ＳＩＧの信号レベルＶｉｎにより設定される。ディスプレイ装置４１においては、このようにして設定された信号レベル保持用のコンデンサＣ２の端子間電圧にトランジスタＴＲ２のゲートソース間電圧Ｖｇｓが設定されて、このトランジスタＴＲ２により有機ＥＬ素子１２が電流駆動される（図４（Ｅ））。これによりディスプレイ装置４１では、有機ＥＬ素子１２の電圧電流特性が経時変化した場合でも、有機ＥＬ素子１２の輝度の変化を有効に回避し得、その分、走査線の数を低減して画質劣化を防止することができるようになされている。
【００４３】
（２）実施例の動作
以上の構成において、このディスプレイ装置４１は（図２）、垂直駆動回路４４による走査線ＳＣＮ、ＳＣＮ１、ＳＣＮ２Ｒ、ＳＣＮ２Ｇ、ＳＣＮ２Ｂの駆動により順次ライン単位で画素部４２の画素４３に信号線ＳＩＧの信号レベルが設定され、この各画素４３に設定した信号レベルにより各画素４３が発光して所望の画像が表示される。
【００４４】
ディスプレイ装置４１では、各画素４３において、有機ＥＬ素子１２を駆動するソースフォロワ回路構成のトランジスタＴＲ２のゲートソース間に信号レベル保持用のコンデンサＣ２が設けられ、トランジスタＴＲ４によりこのトランジスタＴＲ２への電源の供給を停止した状態で、トランジスタＴＲ３によるスイッチ回路によりこのトランジスタＴＲ２のソースを基準電圧であるアース電位に設定し、またトランジスタＴＲ１によるスイッチ回路によりトランジスタＴＲ２のゲートを信号線ＳＩＧに接続することにより、信号線ＳＩＧの信号レベルがこの信号レベル保持用のコンデンサＣ２に設定される。またこのようにして設定した信号レベル保持用のコンデンサＣ２によるゲートソース間電圧ＶｇｓによりトランジスタＴＲ２で有機ＥＬ素子１２が電流駆動される。
【００４５】
これによりこのディスプレイ装置４１では、有機ＥＬ素子１２の特性が経時変化した場合でも、階調データＤ１に応じた電流駆動により有機ＥＬ素子１２を駆動することができる。またｎチャンネルＭＯＳ型によるＴＦＴトランジスタを用いたソースフォロワ回路により有機ＥＬ素子１２をアノード側より電流駆動することができる。
【００４６】
このようにして信号レベル保持用のコンデンサＣ２に信号線ＳＩＧの信号レベルを設定する際に、このディスプレイ装置４１では、事前に、ドライブスキャン信号ｄｓ２によるトランジスタＴＲ４の制御によりトランジスタＴＲ２への電源の供給が停止されて有機ＥＬ素子１２の発光が停止された後、トランジスタＴＲ３により信号レベル保持用のコンデンサＣ２の一端がアース電位に保持され、この状態でトランジスタＴＲ１により信号線ＳＩＧが信号レベル保持用のコンデンサＣ２の他端に接続される。これにより信号レベル保持用のコンデンサＣ２の端子間電圧が信号線ＳＩＧの信号レベルＶｉｎにより設定され、この端子間電圧によるゲートソース間電圧ＶｇｓによりトランジスタＴＲ２で有機ＥＬ素子１２が駆動される。
【００４７】
ディスプレイ装置４１では、このようなドライブスキャン信号ｄｓ２による有機ＥＬ素子１２の発光、非発光の制御が、赤色、緑色、青色の画素毎に実行され、これによりカラーバランスが設定される。これに対して信号レベル保持用のコンデンサＣ２の一端を基準電位に設定するドライブスキャン信号ｄｓ１、信号レベル保持用のコンデンサＣ２の他端を信号線ＳＩＧの信号レベルＶｉｎに設定する書き込み信号ｗｓについては、これら赤色、緑色、青色の画素でそれぞれ共通化される。
【００４８】
これによりこのディスプレイ装置４１では、５本の走査線により各画素４３を駆動し得、その分、これにより走査線の増大を防止して、確実に有機ＥＬ素子１２の経時変化による画質の劣化が防止される。これにより簡易に高解像度化することができ、さらには垂直駆動回路等の構成を簡略化し、その分、全体構成を簡略化し、さらにはいわゆる狭額縁化することができる。
【００４９】
（３）実施例の効果
以上の構成によれば、信号レベル保持用のコンデンサの端子間電圧によるゲートソース電圧によりソースフォロワ回路構成によるトランジスタで発光素子を駆動する構成において、この信号レベル保持用のコンデンサを基準電圧に接続するソース側のスイッチ回路を、各ラインの異なる色の画素で共通に制御することにより、ソースフォロワ回路構成により発光素子を電流駆動するトランジスタに発光素子の経時変化を補正する構成を設けるようにしても、走査線の数の増大を防止することができる。これにより簡易に高解像度化することができ、さらには垂直駆動回路等の構成を簡略化し、その分、全体構成を簡略化し、さらにはいわゆる狭額縁化することができる。
【００５０】
またトランジスタ、基準電圧用のスイッチ回路、信号線用のスイッチ回路をｎチャンネルＭＯＳ型のトランジスタにより形成することにより、ガラス基板上に一体に形成することができる。
【実施例２】
【００５１】
図５は、図３との対比により本発明の実施例２に係るディスプレイ装置に係る各画素の動作の説明に供するタイムチャートである。この実施例に係るディスプレイ装置においては、この画素の制御に係るタイミングが異なる点を除いて、実施例１に係るディスプレイ装置４１と同一に構成される。
【００５２】
すなわちこの実施例においては、赤色、緑色、青色の画素で書き込み信号ｗｓ、ドライブスキャン信号ｄｓ１を共通化することにより、書き込み信号ｗｓ、ドライブスキャン信号ｄｓ１により信号レベル保持用のコンデンサＣ２の両端の電圧を設定する期間Ｔが同一に設定され、この同一に設定されてなる期間Ｔを間に挟むように、それぞれ赤色、緑色、青色でトランジスタＴＲ２に電源の供給を開始、停止するタイミングが異なるように設定される。
【００５３】
すなわち赤色の画素においては、有機ＥＬ素子１２の発光を停止している期間の開始端側にこの期間Ｔを設定するように、ドライブスキャン信号ｄｓ２が立ち上げられるのに対し、緑色の画素においては、有機ＥＬ素子１２の発光を停止している期間の終了端側にこの期間Ｔを設定するように、ドライブスキャン信号ｄｓ２が立ち上げられる。これに対して青色の画素においては、有機ＥＬ素子１２の発光を停止している期間のほぼ中央にこの期間Ｔを設定するように、ドライブスキャン信号ｄｓ２が立ち上げられる。
【００５４】
これによりこの実施例では、走査線の数を少なくして、各色の画素が同時の非発光となる期間が極力重なり合わないようになされ、このような各色の画素が同時に発光、非発光となることによる表示画面における輝度レベルの脈動を極力、小さくするようになされている。
【００５５】
この図５に示す構成によれば、各色の画素で書き込み信号ｗｓ、ドライブスキャン信号ｄｓ１を共通化すると共に、それぞれトランジスタＴＲ２に電源の供給を開始、停止するタイミングが異なるように設定することにより、表示画面における輝度レベルの脈動を低減して実施例１と同様の効果を得ることができる。
【実施例３】
【００５６】
図６は、図２３との対比により本発明の実施例３に係るディスプレイ装置の構成を示すブロック図である。このディスプレイ装置５１において、画素部５２は、電流駆動による赤色、緑色、青色の画素（ＰＸＲ、ＰＸＧ、ＰＸＢ）５３が順次循環的に繰り返されてマトリックス状に配置され、これらの画素５３に対して、６本の走査線ＳＣＮ、ＳＣＮ１、ＳＣＮ２Ｒ、ＳＣＮ２Ｇ、ＳＣＮ２Ｂ、ＳＣＮ３がライン単位で水平方向に設けられる。またこれらの走査線ＳＣＮ、ＳＣＮ１、ＳＣＮ２Ｒ、ＳＣＮ２Ｇ、ＳＣＮ２Ｂ、ＳＣＮ３と直交するように信号線ＳＩＧが各列毎に垂直方向に設けられる。このようにして形成されてなる画素部５２に対して、ディスプレイ装置５１は、垂直駆動回路５４により走査線ＳＣＮ、ＳＣＮ１、ＳＣＮ２Ｒ、ＳＣＮ２Ｇ、ＳＣＮ２Ｂ、ＳＣＮ３を駆動して順次ライン単位で画素５３に設けられた画素回路の動作を制御すると共に、この画素回路の制御に対応するように水平駆動回路５５により信号線ＳＩＧを駆動して各画素５３の階調を設定する。
【００５７】
このため垂直駆動回路５４は、各画素５３への書き込みをライン単位で順次指示する書き込み信号ｗｓをライトスキャン回路（ＷＳＣＮ）５４Ａにより生成し、またこの書き込み信号ｗｓに同期して信号レベルが変化するドライブスキャン信号ｄｓ１、ｄｓ２をドライブスキャン回路（ＤＳＣＮ）５４Ｂ、ドライブスキャン回路（ＤＳＣＮ２）５４Ｃにより生成し、これら書き込み信号ｗｓ、ドライブスキャン信号ｄｓ１、ｄｓ２を走査線ＳＣＮ、ＳＣＮ１、ＳＣＮ２Ｒ、ＳＣＮ２Ｇ、ＳＣＮ２Ｂに出力する。またしきい値電圧Ｖｔｈの補正を指示する制御信号ａｚをオートゼロ回路（ＺＥＲＯ）５４Ｄにより生成して走査線ＳＣＮ３に出力する。またこのような走査線の制御において、ドライブスキャン信号ｄｓ２については、赤色、緑色、青色の画素５３毎に生成してそれぞれ対応する画素５３の走査線ＳＣＮ２Ｒ、ＳＣＮ２Ｇ、ＳＣＮ２Ｂに出力し、これによりこのディスプレイ装置５１では、赤色、緑色、青色の各画素５３における発光、非発光の制御により、カラーバランスを調整するようになされている。これに対してドライブスキャン信号ｄｓ１、書き込み信号ｗｓ、制御信号ａｚについては、それぞれ赤色、緑色、青色の画素５３で共用化し、これによりその分、走査線の数を低減するようになされている。
【００５８】
また水平駆動回路５５においては、各画素５３の階調を指示する階調データＤ１に応じて駆動信号を生成し、この駆動信号を水平セレクタ（ＨＳＥＬ）５５Ａにより各信号線ＳＩＧに振り分けて出力するようになされている。
【００５９】
図７は、図１９との対比によりこのディスプレイ装置５１に係る各画素５３を示す接続図である。ディスプレイ装置５１では、各トランジスタＴＲ１〜ＴＲ６に係る制御のタイミングが異なる点を除いて、図１９について上述したディスプレイ装置３１と同一に構成される。
【００６０】
このディスプレイ装置５１に係る画素５３においては、図８及び図９に示すように、実施例１について上述したディスプレイ装置４１と同様に、信号レベル保持用のコンデンサＣｓ２の端子間電圧によるゲートソース電圧によりトランジスタＴＲ２で有機ＥＬ素子１２を駆動し（図８（Ｅ）及び（Ｆ）、図９（Ａ））、このトランジスタＴＲ２への電源の供給を制御するトランジスタＴＲ４をドライブスキャン信号ｄｓ２によりオンオフ制御し、これにより各色毎に有機ＥＬ素子１２の発光、非発光を制御してカラーバランスを設定するようになされている（図８（Ｄ−Ｒ）〜（Ｄ−Ｂ））。
【００６１】
またこのように非発光とする開始のタイミングを各色で同一の時点に設定して、非発光とする直前の制御信号ａｚの立ち上げにより、トランジスタＴＲ２のゲート電圧Ｖｇ、ソース電圧Ｖｓを一旦立ち上げた後（図８（Ｂ）及び図９（Ｂ））、これらゲート電圧Ｖｇ、ソース電圧Ｖｓを立ち下げる。このときドライブスキャン信号ｄｓ２の信号レベルの立ち上げに同期してドライブスキャン信号ｄｓ１を立ち上げ、これによりトランジスタＴＲ２のソースをアース電位に設定し（図８（Ｃ）及び図９（Ｃ））、これにより信号レベル保持用のコンデンサＣｓ２のソースをアース電位に設定した状態で、この信号レベル保持用のコンデンサＣｓ２にトランジスタＴＲ２のしきい値電圧Ｖｔｈを設定する。
【００６２】
またその後、制御信号ａｚの立ち下げにより、トランジスタＴＲ５、ＴＲ６をオフ状態に設定した後、書き込み信号ｗｓの立ち上げによりカップリング用のコンデンサＣｓ１を介して信号線ＳＩＧの信号レベルＶｉｎにより信号レベル保持用のコンデンサＣｓ２の端子電圧を設定する（図８（Ａ）及び図９（Ｄ））。これによりこのようにして設定された信号レベル保持用のコンデンサＣｓ２の端子間電圧によるゲートソース電圧によりトランジスタＴＲ２で有機ＥＬ素子１２を駆動する（図９（Ｅ））。
【００６３】
これによりこの実施例においては、発光素子の経時変化に係る補正回路の構成に加えて、トランジスタＴＲ２のしきい値電圧のばらつきを補正する補正回路を設けるようにして、各ラインにそれぞれ６本の走査線を設けて所望する画像を表示できるようになされ、その分、ソースフォロワ回路構成により発光素子を電流駆動するトランジスタに各種の補正回路を設けるようにしても、走査線の数の増大を防止することができるようになされている。
【実施例４】
【００６４】
なお上述の実施例１、実施例３においては、発光開始のタイミングを各色の画素で一致させ、また実施例２においては、赤色、緑色、青色の画素で発光開始のタイミングを前後させる場合について述べたが、本発明はこれに限らず、要は各画素に信号線の信号レベルを設定する期間に対して非発光の期間を設けるようにして、非発光の期間にあっては、必要に応じて種々に設定することができる。
【００６５】
また上述の実施例３においては、信号レベル保持用のコンデンサＣｓ２のアース側端を基準電位に設定して、トランジスタＴＲ２のしきい値電圧Ｖｔｈ、信号線の信号レベルを信号レベル保持用のコンデンサＣｓ２に設定する場合について述べたが、本発明はこれに限らず、信号レベル保持用のコンデンサＣｓ２においては、両端がトランジスタＴＲ２のゲート、ソースにそれぞれ接続されていることにより、要は、信号線の信号レベルにより信号レベル保持用のコンデンサの端子電圧を設定する時点で、信号レベル保持用のコンデンサＣｓ２のアース側端を基準電位に設定して置けば良く、これによりドライブスキャンン信号の立ち上げのタイミングにおいては、発光素子が非発光とされている期間で、必要に応じて種々に設定することができる。
【００６６】
また上述の実施例においては、赤色、緑色、青色の画素に対して、書き込み信号ｗｓを共通化してこれら３色の画素に信号線の信号レベルを同時に設定する場合について述べたが、本発明はこれに限らず、これら３色の画素の時系列により信号線の信号レベルを設定する場合にも広く適用することができる。なおこの場合、これら３色の画素に係る書き込み信号ｗｓを所定のタイミグで順次立ち上げ、これら３色の書き込み信号ｗｓが順次立ち上がっている期間の間、トランジスタＴＲ３をオン状態に保持するようにして、このトランジスタＴＲ３に係るドライブスキャン信号ｄｓ１を共用化することができる。
【００６７】
また上述の実施例においては、赤色、緑色、青色の画素によるディスプレイ装置に本発明を適用する場合について述べたが、本発明はこれに限らず、４色以上の画素によるディスプレイ装置等にも広く適用することができる。
【００６８】
また上述の実施例においては、アモルファスシリコンのプロセスを適用してＥＬ素子と画素回路とをガラス基板上に一体に形成する場合について述べたが、本発明はこれに限らず、ポリシリコンによりトランジスタを作成する場合、さらには画素部と別体にシリコン基板により駆動回路を作成した後、画素部と接続、一体化する場合等にも広く適用することができる。
【００６９】
また上述の実施例においては、有機ＥＬ素子による発光素子を電流駆動する場合について述べたが、本発明はこれに限らず、電流駆動に係る種々の発光素子によるディスプレイ装置に広く適用することができる。
【産業上の利用可能性】
【００７０】
本発明は、ディスプレイ装置、ディスプレイ装置の駆動回路及びディスプレイ装置の駆動方法に関し、例えば有機ＥＬ素子によるディスプレイ装置に適用することができる。
【図面の簡単な説明】
【００７１】
【図１】本発明の実施例１に係るディスプレイ装置の画素を周辺構成と共に示す接続図である。
【図２】本発明の実施例１に係るディスプレイ装置を示すブロック図である。
【図３】図１の画素の動作の説明に供するタイムチャートである。
【図４】図３のタイムチャートの説明に供する接続図である。
【図５】本発明の実施例２に係るディスプレイ装置の動作の説明に供するタイムチャートである。
【図６】本発明の実施例３に係るディスプレイ装置を示すブロック図である。
【図７】図６のディスプレイ装置の画素を周辺構成と共に示す接続図である。
【図８】図７の画素の動作の説明に供するタイムチャートである。
【図９】図８のタイムチャートの説明に供する接続図である。
【図１０】ディスプレイ装置の構成を示すブロック図である。
【図１１】有機ＥＬ素子によるディスプレイ装置の構成を示す接続図である。
【図１２】有機ＥＬ素子の特性を示す特性曲線図である。
【図１３】有機ＥＬ素子の動作点の変化の説明に供する特性曲線図である。
【図１４】ソースフォロワ回路構成による画素回路を周辺構成と共に示す接続図である。
【図１５】図１４の画素回路の動作の説明に供するタイムチャートである。
【図１６】図１５のタイムチャートの説明に供する接続図である。
【図１７】図１４の構成によるカラーの画素に係る制御の説明に供するタイムチャートである。
【図１８】図１７のタイムチャートに対応するディスプレイ装置の構成を示すブロック図である。
【図１９】しきい値電圧の補正に係るディスプレイ装置を示す接続図である。
【図２０】図１９のディスプレイ装置の動作の説明に供するタイムチャートである。
【図２１】図２０のタイムチャートの説明に供する接続図である。
【図２２】図１９の構成によるカラーの画素に係る制御の説明に供するタイムチャートである。
【図２３】図２２のタイムチャートに対応するディスプレイ装置の構成を示すブロック図である。
【符号の説明】
【００７２】
１、１１、２１、３１、４１、５１……ディスプレイ装置、２、２２、３２、４２、５２……画素部、３、２３、３３、４３、５３……画素、４、２４、３４、４４、５４……垂直駆動回路、４Ａ、２４Ａ、３４Ａ、４４Ａ、５４Ａ……ライトスキャン回路、５、２５、３５、４５、５５……水平駆動回路、１２……有機ＥＬ素子、２４Ｂ、２４Ｃ、３４Ｂ、３４Ｃ、４４Ｂ、４４Ｃ、５４Ｂ、５４Ｃ……ドライブスキャン回路、３４Ｄ、５４Ｄ……オートゼロ回路、Ｃ１、Ｃ2 、Ｃｓ１、Ｃｓ２……コンデンサ、ＴＲ１〜ＴＲ６……トランジスタ
【図１】
2005172917.tif 000003
【図２】
2005172917.tif 000004
【図３】
2005172917.tif 000005
【図４】
2005172917.tif 000006
【図５】
2005172917.tif 000007
【図６】
2005172917.tif 000008
【図７】
2005172917.tif 000009
【図８】
2005172917.tif 000010
【図９】
2005172917.tif 000011
【図１０】
2005172917.tif 000012
【図１１】
2005172917.tif 000013
【図１２】
2005172917.tif 000014
【図１３】
2005172917.tif 000015
【図１４】
2005172917.tif 000016
【図１５】
2005172917.tif 000017
【図１６】
2005172917.tif 000018
【図１７】
2005172917.tif 000019
【図１８】
2005172917.tif 000020
【図１９】
2005172917.tif 000021
【図２０】
2005172917.tif 000022
【図２１】
2005172917.tif 000023
【図２２】
2005172917.tif 000024
【図２３】
2005172917.tif 000025